(57)【特許請求の範囲】
【請求項１】
自己膨張装置であって、閉じられた空間を規定する外皮と、前記外皮内に入れられた圧縮可能な材料と、開いたときに空気が前記外皮内に入ることを許容して圧縮された前記材料が膨張して前記外皮の容積を拡大し、また前記外皮の容積を縮小するために前記材料が圧縮されたときに空気が前記外皮内から出ることを許容するように形成された通常は閉じられたバルブとを有してなり、
前記バルブは、バルブベースと、前記バルブが閉じられるときに相互に密着されるバルブシート及びバルブメンバーと、前記バルブを開いて前記外皮内への空気の出し入れを許容して前記外皮内の空気の量を調整するために前記バルブシートと前記バルブメンバーを引き離すように駆動するアクチュエータと、前記バルブが閉じられる方向に前記アクチュエータを付勢するスプリングと、当該バルブが開かれた状態でロックするロック手段とを有し、
前記アクチュエータは、外表面を有し該外表面に加わる押し下げ圧力に応じて前記スプリングに抗って前記バルブメンバーと前記バルブシートを引き離す方向に移動する本体部を有し、
前記ロック手段は、前記アクチュエータの本体部と前記バルブベースの少なくとも一方に設けられたロック用タブと係合して、前記バルブが開かれた状態で前記アクチュエータの本体部の移動を拘束する第1の位置と、前記ロック用タブとの係合を解除して前記バルブが閉じられる第２の位置との間で、前記本体部と前記バルブベースのいずれかに対して移動可能に形成された係止部を有してなる自己膨張装置。
【請求項２】
前記外皮は、外縁部においてつながれた柔軟な材料からなる第１のシートおよび第２のシートを有してなる請求項１に記載の自己膨張装置。
【請求項３】
前記圧縮可能な材料は、圧縮されていないときに予め定められた形状を呈する弾性体の連続気泡発泡材料である請求項１に記載の自己膨張装置。
【請求項４】
前記ロック手段は、前記第１の位置と前記第２の位置との間で弾性変形可能なアームを有し、該アームに前記アクチュエータの本体部に設けられたロック用タブに係合可能に前記係止部が形成されてなる請求項１に記載の自己膨張装置。
【請求項５】
前記外皮を拘束することによって前記圧縮可能な材料を圧縮した状態において拘束するように形成された拘束手段を含んでなる請求項１に記載の自己膨張装置。
【請求項６】
前記圧縮可能な材料の予め定められた形状は、腰部サポートのために適合させられている請求項３に記載の自己膨張装置。
【請求項７】
前記ロック手段は、前記アクチュエータの動作にかかわらず前記第１の位置と前記第２の位置との間で回転可能な回転式メンバーを有し、該回転式メンバーには前記アクチュエータの本体部と前記バルブベースの少なくとも一方に設けられたロック用タブと係合可能に前記係止部が形成されてなる請求項１に記載の自己膨張装置。
【請求項８】
前記バルブは、さらに前記バルブシートが組み込まれた前記バルブベースを含んでなり、前記回転式メンバーは前記バルブベースにネジによって嵌合されている請求項７に記載の自己膨張装置。
【請求項９】
前記バルブシートは、前記回転式メンバーにつながれている請求項７に記載の自己膨張装置。
【請求項１０】
前記発泡材料の予め定められた形状は、首サポートのために適合させられている請求項３に記載の自己膨張装置。
【請求項１１】
請求項１ないし１０のいずれかに記載の自己膨張装置が組み込まれている椅子または座席。
【請求項１２】
自己膨張装置に入る空気の流れおよび出る空気の流れを制御するためのバルブであって、バルブベースと、前記バルブが閉じられるときに相互に密着されるバルブシート及びバルブメンバーと、前記バルブを開いて前記外皮内への空気の出し入れを許容して前記外皮内の空気の量を調整するために前記バルブシートと前記バルブメンバーを引き離すように駆動するアクチュエータと、前記バルブが閉じられる方向に前記アクチュエータを付勢するスプリングと、当該バルブが開かれた状態でロックするロック手段とを有し、
前記アクチュエータは、外表面を有し該外表面に加わる押し下げ圧力に応じて前記スプリングに抗って前記バルブメンバーと前記バルブシートを引き離す方向に移動する本体部を有し、
前記ロック手段は、前記アクチュエータの本体部と前記バルブベースの少なくとも一方に設けられたロック用タブと係合して、前記バルブが開かれた状態で前記アクチュエータの本体部の移動を拘束する第1の位置と、前記ロック用タブとの係合を解除して前記バルブが閉じられる第２の位置との間で、前記本体部と前記バルブベースのいずれかに対して移動可能に形成された係止部を有してなるバルブ。
【請求項１３】
前記ロック手段は、前記第１の位置と前記第２の位置との間で弾性変形可能なアームを有し、該アームに前記アクチュエータの本体部に設けられたロック用タブと係合可能に前記係止部が形成されてなる請求項１２に記載のバルブ。
【請求項１４】
前記ロック手段は、前記アクチュエータの動作にかかわらず前記第１の位置と前記第２の位置との間で回転可能な回転式メンバーを有し、該回転式メンバーには前記アクチュエータの本体部と前記バルブベースの少なくとも一方に設けられたロック用タブと係合可能に前記係止部が形成されてなる請求項１２に記載のバルブ。
【請求項１５】
前記バルブは、さらに前記バルブシートが組み込まれた前記バルブベースを含んでなり、前記回転式メンバーは前記バルブベースにネジによって嵌合されている請求項１４に記載のバルブ。
【請求項１６】
前記バルブシートは、前記回転式メンバーにつながれている請求項１４に記載のバルブ。
【発明の詳細な説明】
【０００１】
【発明の属する技術分野】
本発明は、自己膨張クッションなどの自己膨張装置および、自己膨張装置に空気が入り、または出ることを許容するバルブに関する。
【０００２】
【背景技術】
自己膨張クッション（以下、適宜、クッションと略す。）には、腰部サポート、首サポート、臀部保護、シートクッション等を含む多くの用途がある。便宜上、本発明は身体の一部を支持するためのクッションに関して説明されるが、本発明はそれに限定されない。
【０００３】
多くの人々が背中または首の痛みに苦しみ、彼らが耐えている辛苦を軽減することを助けるための、いくつかの形態のサポートを要求している。今日のライフスタイルは、結果的に弱い、または十分発達しない背筋をもたらし得る。多くの人々は、問題を強調または悪化させるような不快な、または良くない設計の座席に座っている。例えば、オフィス内、その他の仕事場、自動車または航空機での移動中、または椅子に座ってテレビを見ているときでさえ、長い時間座っていると、例えば椅子の設計が良くなかったり、ある者が適切な姿勢位置を習慣的にとっていなかったり、また、ある者が既に解剖学上の脊椎の問題点を持っていると、結果的に背中の痛みからくる辛苦を被ることになり得る。
【０００４】
脊椎の痛みからくる辛苦は、たいていはクッションまたは他の腰部サポート手段によって避けられ、または低減できる。しかしながら、多くのサポート用のクッションに係る問題は、多くの場合それらが不充分か、または不適切な脊椎の支持をもたらす形状であり、また、運搬や保管が不便または難しい形状なことである。
【０００５】
膨張可能な背中、頭および首のサポート用のクッションが知られているが、その形態や支持についてはそれぞれ専ら空気の圧力に依存したり、またはウールや発泡体のような柔らかいかまたは膨張性のある物質に依存する。多くの場合、これは使用および調整が不十分か、または不便であることを意味する。
【０００６】
周知の自己膨張クッションは、空気をクッションに入れ、またはクッションから出すバルブの動作について生じる多くの欠点に基づく難点がある。これは自己膨張クッションに関連し、公開された国際特許出願PCT/AU96/00761の事例である。本発明の目的は、改良された自己膨張クッションおよびそのようなクッション並びに封入体のための改良されたバルブを提供することにある。
【０００７】
【発明の概要】
本発明の１つの態様によれば、自己膨張装置であって、閉じられた空間を規定する外皮と、前記外皮内に入れられた圧縮可能な材料と、開いたときに空気が前記外皮内に入ることを許容して圧縮された前記材料が膨張して前記外皮の容積を拡大し、また前記外皮の容積を縮小するために前記材料が圧縮されたときに空気が前記外皮内から出ることを許容するように形成された通常は閉じられたバルブとを有してなり、前記バルブは、バルブベースと、前記バルブが閉じられるときに相互に密着されるバルブシート及びバルブメンバーと、前記バルブを開いて前記外皮内への空気の出し入れを許容して前記外皮内の空気の量を調整するために前記バルブシートと前記バルブメンバーを引き離すように駆動するアクチュエータと、前記バルブが閉じられる方向に前記アクチュエータを付勢するスプリングを有し、前記ロック手段は、前記アクチュエータの本体部と前記バルブベースの少なくとも一方に設けられたロック用タブと係合して、前記バルブが開かれた状態で前記アクチュエータの本体部の移動を拘束する第1の位置と、前記ロック用タブとの係合を解除して前記バルブが閉じられる第２の位置との間で、前記本体部と前記バルブベースのいずれかに対して移動可能に形成された係止部を有してなる自己膨張装置が提供される。
【０００８】
本発明の他の態様によれば、自己膨張装置に入る空気の流れおよび出る空気の流れを制御するためのバルブであって、バルブベースと、前記バルブが閉じられるときに相互に密着されるバルブシート及びバルブメンバーと、前記バルブを開いて前記外皮内への空気の出し入れを許容して前記外皮内の空気の量を調整するために前記バルブシートと前記バルブメンバーを引き離すように駆動するアクチュエータと、前記バルブが閉じられる方向に前記アクチュエータを付勢するスプリングと、当該バルブが開かれた状態でロックするロック手段とを有し、前記アクチュエータは、外表面を有し該外表面に加わる押し下げ圧力に応じて前記スプリングに抗って前記バルブメンバーと前記バルブシートを引き離す方向に移動する本体部を有し、前記ロック手段は、前記アクチュエータの本体部と前記バルブベースの少なくとも一方に設けられたロック用タブと係合して、前記バルブが開かれた状態で前記アクチュエータの本体部の移動を拘束する第1の位置と、前記ロック用タブとの係合を解除して前記バルブが閉じられる第２の位置との間で、前記本体部と前記バルブベースのいずれかに対して移動可能に形成された係止部を有してなるバルブが提供される。
【０００９】
削除
【００１０】
本発明の一形態によれば、ロック手段は、係止部がアクチュエータのロック用タブと協働してバルブが開いた状態で拘束される第１の位置と、係止部がアクチュエータのロック用タブとの拘束が解除されてバルブを閉じる第２の位置との間で弾性変形可能なアームを有して構成できる。
【００１１】
本発明の他の形態によれば、ロック手段は、アクチュエータの動作にかかわらずバルブを開いた状態にロックする第１の位置と、アクチュエータの動作に依存してバルブを閉じる第2の位置との間で回転可能な回転式メンバーを有して構成できる。
【００１２】
【発明の実施の形態】
図１に示す自己膨張クッションまたは身体の部分サポート装置としてのクッション１０は、第1の、または上側のシート部１２と、第2の、または下側のシート部１３との間に閉じられた空間を形成する外皮１１を含んでなる。外皮は、好ましくは圧縮されていない状態において予め定められた形状を呈するように裁断または成形された圧縮可能な弾性体である連続気泡発泡材料を含んでいる。使用されないときは、発泡体物質を取り巻く外皮１１は、わずか数ミリメータの厚さまで手で圧縮することができ、適当な拘束手段によって圧縮された状態に保持される。
【００１３】
調整を可能とするために、クッション１０は、２方向のバルブ１５によって膨らまされ、またしぼまされ得る。バルブ１５は、閉じられた空間内の全体に対して動作するように適合させられるか、または個別化された腰部サポート毎に装置の硬さを選択的に調整するため、膨張式の複数の空気室が設けられるようなシステムであってもよい。
【００１４】
図２ないし図５に示すバルブ１５は、バルブアクチュエータ２０と、バルブメンバー２１と、バルブシート２２と、バルブが閉じたときにバルブメンバー２１とバルブシート２２との間のシールをするＯリング２３とを含んでなる。バルブアクチュエータ２０は、胴部２４と外縁部のロック用タブ２６とを有する。バルブメンバー２１は、胴部２４に固定されたネジ２５によってアクチュエータ２０に固定されている。ネジ２５が完全に入れられたときに胴部２４の下端を受けるチューブ部２８が、バルブメンバー２１から直立している。
【００１５】
バルブシート２２は、直立する円柱状の壁３３の中に形成される空気流路３１を有するバルブベース３０の一部を形成している。図２ないし５から見てとれるように、アクチュエータ２０のアッセンブリとバルブメンバー２１は、バルブベース３０の環状面３２とアクチュエータ２０の頭部の下面との間に圧縮スプリング３４を閉じ込めている。Ｏリング２３は、バルブメンバー２１のフランジ３５の溝３６の中に据え付けられている。
【００１６】
円柱状の壁３３は、スプリング３４の適切な配置および動作を確保するようにガイドし、また、バルブメンバー２１のチューブ部２８が振動したり取りつけ不良とならないようにガイドするための内部を拡径された穴３３ａを有する。
【００１７】
バルブベース３０はまた下方へぶら下がり、バルブメンバー２１の外縁部の壁とわずかに離間されてバルブメンバー２１をガイドし、スムースな動作と適切な配置を確保する円柱部３７を有する。バルブベース３０の主要部３９と円柱部３７との間のリブ３８は、バルブベース３０の歪みを防ぎ、または最小化してバルブシート２２を平面に保つ。
【００１８】
バルブ１５は、バルブベース３０のリング３０ａおよびタブリング４１の外側の環状面４０、４１ａの間において、クッション１０の外皮１１を熱溶接することによってクッション１０につながれている。バルブベース３０に固定されたタブリング４１は、クッション１０がしぼませられたときに、丸められるかまたは折りたたまれた配置を確保するために使用されるタブ４２を有する。バルブベース３０の中央部の上に重なるカバー４３は、バルブアクチュエータ２０およびアーム４６の上端部のリリースタブ４５にアクセスするための開口４４を有する。リリースタブ４５の下に、図４に示すようにバルブが開いた状態でロックされるときにロック用タブ２６がそれに対して係止されるロック用突起４７がある。アクチュエータ２０とカバー４３との間には空気流ギャップ２９がある。
【００１９】
バルブ１５が完全に閉じられた状態において、スプリング３４がアクチュエータ２０の頭部の下面に作用し、バルブメンバー２１をバルブシート２２に付勢し、Ｏリング２３がそれらの間で圧縮されてクッション１０に空気が出入りすることを防いでいる状態を図２に示す。
【００２０】
バルブアクチュエータ２０が押し下げられると（図３参照）、Ｏリング２３は、バルブシール２２に対するシールを中断し、クッション内の空気圧力の微調整のため、空気がクッション１０に入り、またクッション１０から出ることを許容する。アクチュエータ２０をさらに押し下げると、ロック用タブ２６の下面は、ロック用タブ２６がロック用キャッチ４７を通り越してはめ合わされ、タブ２６の上面がロック用キャッチ４７の下面に係止されてバルブ１５を図４に示す全開の状態に保持することを許容するように外側に曲げられているロック用キャッチ４７の、内側に向けてテーパがつけられた上面にかみ合わせられる。
【００２１】
バルブ１５は、図５に示すように、タブ４５を下向きかつ外向きに押すことによって閉じた状態に戻され、ロック用キャッチ４７はロック用タブ２６と関わりのない位置まで移動し、その結果、図２に示すようにスプリング３４はバルブ１５を閉じるように働く。したがって、図２ないし図５に示すバルブ１５の実施形態は、ボタンの部分的な押し下げによってクッション内の空気圧力の調整ができ、また、完全に押し下げることによってロック用キャッチ４７がバルブを全開に保持し、クッション内の全ての空気を放出するような押しボタン操作を提供する。ロック用キャッチ４７とロック用タブ２６との配列は、バルブ１５の作動状態についての触感的なフィードバックをも提供する。
【００２２】
図６ないし図８に示すバルブ６０の第2の実施形態は、バルブを全開の状態にするように回転動作によって拘束を解除し、押しボタン操作によってクッション１０内の空気の圧力を調整するために設けられている。バルブ６０はバルブアクチュエータ６１と、バルブメンバー６２と、バルブシート６３と、バルブシート６３の上面の溝６５に据え付けられたＯリング６４とを含んでなる。バルブシート６３は、図２ないし図５のはめ込み構成のような任意の適切な方法によってバルブアクチュエータ６１につながれている。図７に示すように、スプリング６６は、バルブメンバー６２が閉じた状態に偏らせる。バルブアクチュエータ６１を押し下げると、バルブメンバー６２はバルブシート６３から動き、クッション内の空気圧力の調整のために空気が出入りすることを許容する。
【００２３】
バブル６０の全開状態への、および全開状態からの動作は(図８参照)、バルブベース７１の直立するチューブ状部の外面のネジ山６９の下面に位置し、内側に向けられた面６８にかみ合わせられるネジ山を有する回転式のナット６７によってなされる。ナット６７は、バルブアクチュエータ６１へのアクセスを提供する中央の開口７２を有し、バブルアクチュエータ６１は開口７２の外縁とかみ合わせられるフランジ７３を有する。
【００２４】
ナット６７の半時計周りの回転は、ネジ山を面６８にかみ合わせてネジ山６９に半回転捻ってねじ込むようにし、バルブアクチュエータ６１のフランジ７３のナット６７との噛み合いは、バルブアクチュエータ６１およびバルブメンバー６２を下向きに押しつけ、図８に示すようにバルブを開く。
【００２５】
図９および図１０に示すバルブ８０の第３の実施形態もまた第２の実施形態の場合と同様に、回転動作によってバルブが全開状態になるよう拘束を解除するために設けられている。バルブ８０は、バルブアクチュエータ８１と、バルブメンバー８２と、バルブシートまたはシール８３と、スプリング８４とを有する。回転式のナット８５は、バルブベース８８に形成されたネジ山８７とはめ合わされるフランジ８６を有する。
【００２６】
バルブアクチュエータ８１を押し下げると、バルブメンバー８２はシール８３から移動してバルブを部分的に開き、クッション内の空気圧力の調整ができるようにする。ナット８５の半時計周りの回転によってナット８５はバルブベース８８から離間し、これによってシール８３がバルブメンバー８２から持ち上げられてバルブを開く。ナット８５の時計回りの回転は、バルブを図９に示すような閉じた状態にする。
【００２７】
クッション１０を膨らませた状態を図１に示し、しぼませられて巻かれた状態を図１１に示す。クッション１０は、タブ４２の裏側のベルクロパッド４９を、クッション１０の前面のベルクロパッド４８に固定することによって、図１１に示すような巻かれた状態に固定される。
【００２８】
使用に際し、クッション１０は、ベルクロ４８、４９の結合を元に戻し、バルブ１５を開く（図４参照）ことによって解放され、その結果発泡体の弾力がクッション１０をはじけるように開き、平らになって、実質的に膨らむことを許容する。そしてバルブ１５は閉じられ（図２参照）、クッション１０は使用者の背中と、適切なサポート手段、例えば椅子の背もたれとの間に配置され得る。もし要求されるのであれば、クッション１０への最終的な調整はアクチュエータ２４を押し下げて内部の圧力を減らす（図３参照）ことによって行なうことができる。クッション１０の特徴は、この微調整がアクチュエータ２４を使うことによってその場でできることである。一般に、利用者がもたれかかる圧力は、背もたれに対してクッション１０を押しつぶし、アクチュエータ２４が押し込まれたときに空気が追い出されるようにし、また、もしもクッション１０がそのときに薄すぎるのであれば、利用者はアクチュエータ２４を押し下げながら前かがみになって、圧縮された発泡体の弾力が部分的に、または完全にクッション１０を再度膨らませて比較的厚い形状とするようにもできる。アクチュエータ２４を解放すると（これは利用者が指によってその場で都合良く操作できる。）、選択されたレベルの膨張において、クッション１０は自動的にシールされる。
【００２９】
もしも要求されるのであれば、ベルクロストリップまたは他の適切な手段が、身体部分サポートクッション１０を要求される位置に固定し、例えば椅子の背もたれに装置が腰部サポートとして使用する間固定するために設けられ得る。
【００３０】
異なる構成のクッション５０が膨らませられた状態を図１２に示し、しぼまされた状態を図１３に示す。
【００３１】
図面には示さないが本発明の更なる代替的な実施形態においては、クッション１０はひもで取りつけられるベルトの形態において設けられ、例えば特化された腰部サポートのために、衣類またはコートの下に身につけ、利用者の腰に、腰の高さにおいて縛りつけられ得る。そしてクッション１０は筋肉がリラックスすることを助け、腰の配列が適切となるよう促す。
【００３２】
使用しないときには、バルブ１５は開かれ（図４参照）、クッション１０は発泡体を手作業によって圧縮するために巻かれ、数ミリメートルの厚みにされる。そして、バルブ１５は閉じられる。(図２参照)それは、再度使用することを要求されて固定タブ４２が解放されるまでの間この状態に保たれる。巻いた状態から開いたときに、弾性体の連続気泡発泡材料は、弾性の「記憶」を持っているので、バルブ１５を開けておくと、それはほとんど即時に以前の圧縮されていない厚さを呈する。最終的な形状および硬さの程度は、個々の要求に従いアクチュエータ２４を操作することによって調整される。
【００３３】
本発明のバルブ１５が組み込まれたクッション１０は、頭および首サポート、背中サポート、足サポートおよび臀部サポートに好適な構成を含む多様な形状およびサイズにおいて製造され得る。そのそれぞれは、脊椎または他の身体部分の支持が要求される事実上いかなる状況においても装着または使用される能力に関して全てに共通する１つの総合的な概念上の設計に従う。クッション１０の比較的小さなサイズと単純な設計は、使用時において出しゃばらないものであり、公共の場所等において使用するときに不調和な存在とならない。
【００３４】
クッション１０は携帯可能であり、簡単に使用でき、また折りたためるので、ほとんどあらゆる環境、例えば家庭や、オフィスや、旅行者の携行用として直ちに用途が見つけられる。
【００３５】
本発明のバルブ１５は、機械的には単純であるが信頼性のある動作を確保する。クッション１０の外側の外皮は、適切かつ柔軟なシート状のプラスチック材料、例えばポリビニルクロライド（ＰＶＣ）、または機械によって洗浄可能なゴム引きナイロン、コットンまたはキャンバスによって製作され得る。圧縮可能な連続発泡材料は、弾性体、または柔軟なポリスチレンまたはポリウレタンフォーム等として直ちに入手可能である。
【００３６】
図１４ないし図１６に示す身体部分サポート用のクッション５１は、首サポート装置の形態であり、その形状と構成を別にすれば図１に示す身体部分サポート用のクッション１０と同様のものである。
【００３７】
本発明の自己膨張装置は、もし要求されるのであれば椅子や枕に容易に組み込むことができる。
【００３８】
本発明の代表的な実施形態について示され説明されたが、この分野において通常の技術を有する者であれば、ここに説明した発明に多くの変更、修正または代替を、本発明の精神および範囲から離れることなく行なえることが明らかであろう。したがって、このような全ての変更、修正および代替は、本発明の技術範囲に属するとみなすべきである。例えば、クッション１０は、図１７に示すように椅子５２に組み込まれ得る。
【図面の簡単な説明】
【図１】  本発明の一実施形態にしたがった自己膨張クッションの全体を示す図である。
【図２】  図１の自己膨張クッションのバルブの断面図であって、バルブが閉じられた状態を示す図である。
【図３】  図２と同様の図であって、バルブアクチュエータが押し下げられ、クッション内の空気圧の微調整のため、空気がクッションの中へ、または外へ流れることを許容する状態を示す図である。
【図４】  図２と同様の図であって、クッションから空気が放出されるようにバルブが開かれて固定された状態を示す図である。
【図５】  図２と同様の図であって、バルブがロック解除され、閉じた状態に向けて移動している状態を示す図である。
【図６】  図１に示す自己膨張クッションのための部分的に変更されたバルブの断面図であって、バルブアクチュエータが押し下げられ、クッション内の空気圧の微調整のため、空気がクッションの中へ、または外へ流れることを許容する状態を示す図である。
【図７】  図６と同様の図であって、バルブが閉じられた状態を示す図である。
【図８】  図６と同様の図であって、バルブが全開の状態を示す図である。
【図９】  図１に示す自己膨張クッションのための他のバルブの断面図であって、バルブが閉じられた状態を示す図である。
【図１０】  図９に示すバルブの組立分解図である。
【図１１】  図１に示すクッションをしぼませて丸めた状態を示す図である。
【図１２】  本発明のバルブが組み込まれた別のクッションの全体を示す図である。
【図１３】  図１２に示すクッションをしぼませて丸めた状態を示す図である。
【図１４】  本発明のバルブが組み込まれた首サポートクッションの前面の図である。
【図１５】  図１４に示す首サポート用のクッションの側立面図である。
【図１６】  図１４に示す首サポート用のクッションを後から見た図である。
【図１７】  本発明のバルブを有するクッションが組み込まれた椅子の一部を分断して示す図である。
【符号の説明】
１０  クッション
１１  外皮
１２  シート部
１３  シート部
１５  バルブ
２０  アクチュエータ
２１  バルブメンバー
２２  バルブシール
２３  Ｏリング
２４  アクチュエータ
２５  ネジ
２６  ロック用タブ
３０  バルブベース
３１  空気流路
３４  スプリング
３５  フランジ
４１  タブリング
４２  タブ
４３  カバー
４４  開口
４５  リリースタブ
４７  ロック用キャッチ
４８  ベルクロパッド
４９  ベルクロパッド
【図１】
0004646402.tif 000002
【図２】
0004646402.tif 000003
【図３】
0004646402.tif 000004
【図４】
0004646402.tif 000005
【図５】
0004646402.tif 000006
【図６】
0004646402.tif 000007
【図７】
0004646402.tif 000008
【図８】
0004646402.tif 000009
【図９】
0004646402.tif 000010
【図１０】
0004646402.tif 000011
【図１１】
0004646402.tif 000012
【図１２】
0004646402.tif 000013
【図１３】
0004646402.tif 000014
【図１４】
0004646402.tif 000015
【図１５】
0004646402.tif 000016
【図１６】
0004646402.tif 000017
【図１７】
0004646402.tif 000018